(57)【要約】      （修正有）【課題】デジタル表示装置の光学効率を高めた表示装置組立体を提供する。【解決手段】有機発光ダイオード（ｏｒｇａｎｉｃ  ｌｉｇｈｔ−ｅｍｉｔｔｉｎｇ  ｄｉｏｄｅ、ＯＬＥＤ）表示機器であって、透明な基板２上に配置された放出スタックを備える少なくとも１つのＯＬＥＤ１を備え、基板２の背面は、ＯＬＥＤ１の放出表面上に配置されるＯＬＥＤ表示機器と、照明すべき２次対象物とを備える表示装置組立体であって、透明な基板２は、前面と、２次対象物６を照らすように構成される少なくとも１つの側面とを備える。【選択図】図２
2019020404.tif 000002
【特許請求の範囲】
【請求項１】
有機発光ダイオード（ｏｒｇａｎｉｃ  ｌｉｇｈｔ−ｅｍｉｔｔｉｎｇ  ｄｉｏｄｅ、ＯＬＥＤ）表示機器であって、透明な、部分的に透明な、または半透明な基板（２）上に配置された放出スタックを備える少なくとも１つのＯＬＥＤ（１）を備え、前記基板（２）の背面は、前記ＯＬＥＤ（１）の前記放出表面上に配置されるＯＬＥＤ表示機器と、照明すべき２次対象物とを備える表示装置組立体であって、前記透明な基板は、前面と、前記２次対象物（６）を照らすように構成される少なくとも１つの側面（８）とを備える表示装置組立体。
【請求項２】
アナログ時間表示装置を備える、請求項１に記載の組立体。
【請求項３】
前記２次対象物（６）は、前記アナログ時間の文字板を含む、請求項２に記載の組立体。
【請求項４】
前記２次対象物（６）は、時計開口内部に配置される、請求項１から請求項３のいずれかに記載の組立体。
【請求項５】
前記側面（８）は、使用中に拡散光を作り出すためにつや落としされる、請求項１から請求項４のいずれかに記載の組立体。
【請求項６】
前記側面（８）は、前記前面に対して９０°〜１３５°の間の角度をなす、請求項１から請求項５のいずれかに記載の確動組立体。
【請求項７】
前記透明な基板（２）は、少なくとも１．５の、好ましくは１．６〜１．８の間を含む屈折率を有する、請求項１から請求項６のいずれかに記載の組立体。
【請求項８】
前記２次対象物（６）を照明しない前記側面上に不透明なカバー（９）を配置する、請求項１から請求項７のいずれかに記載の組立体。
【請求項９】
前記基板の前記前面は、一体化された装飾物、または追加された装飾物を含む、請求項１から請求項８のいずれかに記載の組立体。
【請求項１０】
前記基板の上に、部分的に透明な文字板が載っている、請求項１から請求項８のいずれかに記載の組立体。
【請求項１１】
請求項１から請求項１０のいずれかに記載の表示装置組立体を含む時計。
【発明の詳細な説明】
【技術分野】
【０００１】
本発明は、表示装置組立体に関し、より具体的には、たとえば時計などの時計で、受動表示機器を照らすことを意図するＯＬＥＤ表示装置組立体に関する。
【背景技術】
【０００２】
時計業界では、ますます多くの機器が、たとえば、スマートホンに、または通信手段を具備する任意の他の対象物に接続する用途のために、針を使用する従来の機械的表示装置をデジタル表示装置と組み合わせる。
【０００３】
そのような機器では、デジタル表示装置は、バックライト付き表示装置であるとき、システムの電力消費を低減するために、要求に応じてだけオンに切り替えられ、一方、機械的表示装置は、全く受動的であり、したがって、スーパールミノバ（Ｓｕｐｅｒｌｕｍｉｎｏｖａ）（登録商標）タイプのコーティングがなければ暗がりで読み取ることはできない。これらの燐光性コーティングは、コートされる面積が狭いためだけではなく、過剰な厚さが作り出されるために、（たとえば、日付盤用の）一部の用途に十分うまく機能しない。
【０００４】
しかしながら、従来技術のデジタル表示装置では、光は前方に放出され、同一平面内の他の対象物、または表示装置の前面から少し引っ込んだ他の対象物を照らさない。
【０００５】
さらに、これらの表示装置を照らすために一般に使用される有機活性層を有するＬＥＤ（英語でＯＬＥＤ、フランス語でＤＥＬｏ）を含む発光ダイオード（ｌｉｇｈｔ  ｅｍｉｔｔｉｎｇ  ｄｉｏｄｅ、ＬＥＤ）機器の効率は、高屈折媒体から低屈折媒体に光を抽出するのが困難なために、光学効率により大きく制限されることは、公知である。この低い効率は主に、活性層により放出される光が内部全反射するためである。実際には、コヒーレント光が共振空洞により高度に向きを合わせられるレーザとは異なり、光は、ＬＥＤ内で等方的に放出される。この等方性の結果として、抽出面法線に対して臨界角よりも大きな角度で放出される光は、全反射を受け、これにより、この光はＬＥＤの基板内に捕獲される。この捕獲された光は、最適化されていない基板については、放出される光の最大８０％に相当する可能性がある。
【０００６】
デジタル表示装置の光学効率を高めるために、抽出面にテクスチャ付けするためのさまざまな戦略が、従来技術の、面のつや落とし、光抽出のために最適化された「光学」膜の規則的構造物、活性ゾーン（画素）の上方の半円筒形「ドーム」の形で提案されてきた。
【発明の概要】
【発明が解決しようとする課題】
【０００７】
しかしながら、今日まで、抽出の工夫にもかかわらず、ＬＥＤ接合部で放出される光のうち無視できない割合は、捕獲されたままであり、基板により形成された、および該当する場合には、ＯＬＥＤを構成する異なる層内に形成された、光ガイド内部で失われる。
【課題を解決するための手段】
【０００８】
本発明は、有機発光ダイオード（ｏｒｇａｎｉｃ  ｌｉｇｈｔ−ｅｍｉｔｔｉｎｇ  ｄｉｏｄｅ、ＯＬＥＤ）表示機器を含む表示装置組立体に関し、この表示装置組立体は、背面がＯＬＥＤの主放出表面上に配置された透明な（または部分的に透明な、または半透明な）基板上に配置された放出スタックから形成された少なくとも１つのＯＬＥＤと、照らすべき２次対象物とを備え、前記基板は、前面と、２次対象物を照らすように構成された少なくとも１つの側面とを含む。
【０００９】
表示装置組立体は、詳細には時計内に組み込まれるのに適しており、時計では、一体化された装飾物または追加された装飾物を含んでもよく、かつさまざまな公知の技法（パッド印刷、シルクスクリーン印刷、デジタル印刷、転写印刷など）により作り出すことができる主表面は、ユーザに伝送される情報を表示することができる時計文字板の面を形成し、２次対象物は、基板の前面の間に捕獲された光が基板の側面を通って出るときに、その光によって照明することができる側面の近傍に配置される。典型的には、この回収された光を、有利には、側面の近傍に配置された受動アナログ表示装置を照らすために使用することができる。ＯＬＥＤ表示機器が、時計文字板を形成するとき、開口を形成するために前記文字板の厚さの中に貫通開口部を配置することができ、有利には、ＯＬＥＤ表示機器をデータ表示型の受動アナログ表示機器と組み合わせることができ、そこでは、日付盤は、開口の真下で動き、そこでは、開口を通して見える日付盤が担う情報を、開口の側壁から抽出された光により照明することができる。表示機器はまた、側面の近傍に、かつ実質的に基板と同一平面内に配置された２次対象物を照らすことができる。
【００１０】
好ましくは、使用中に拡散光を作り出すために、前記側面をつや消しにする。
【００１１】
有利には、前記側面は、前面に対して９０°〜１３５°の間の角度をなす。
【００１２】
有利には、透明な基板は、光を基板内部に制限するために、ＯＬＥＤ層の屈折率よりも高い屈折率を有する。
【００１３】
有利には、２次対象物を照らさない側面上に、不透明なカバーを配置する。
【図面の簡単な説明】
【００１４】
【図１】本発明による表示装置組立体を含む時計の透視図を示す。
【図２】図１に示す、本発明による表示装置組立体を含む時計の断面図を示す。
【図３】図２の領域１０の拡大図を示す。
【発明を実施するための形態】
【００１５】
本発明の目的は、要求に応じてユーザに情報を表示するために使用される有機発光ダイオード（ＯＬＥＤ）表示機器Ａと、照らすべき２次対象物６とを備える表示装置組立体を提案することであり、この表示装置組立体は、ＯＬＥＤ表示機器Ａの１つまたは複数のＯＬＥＤにより放出され、かつ機器の基板の面の間で捕獲され、かつ回収された光を最もよく利用して、ＯＬＥＤ機器に関連する２次対象物６を照明する。
【００１６】
図１〜図３に示す、本発明の一実施形態によれば、ユーザの方を向く面上に装飾することができる能動点灯画面Ａ（バックライト付き、ＬＥＤまたはＯＬＥＤ）と、針１１と協働する時間文字板、および文字板内に配置される開口７を通して見ることができる受動表示部材６を備える受動表示装置とを備える複合表示機器を組み入れる時計Ｍが示されている。
【００１７】
図３に示すように、本発明の表示装置組立体は、主表面に実質的に垂直な、すなわち前面に対して９０°〜１３５°の間を包含する角度αの、側面８を通して光を抽出することにより、能動表示装置の透明な層２内の全反射により捕獲された光を使用する。本発明の能動表示機器は、透明な基板２の背面上に配置されたＯＬＥＤタイプの放出層１を備える。この能動表示機器は、能動マトリックスＯＬＥＤ画面であっても、詳細にはＯＬＥＤまたはＬＥＤを備えるバックライト機器に関連するＴＦＴタイプの液晶画面（ＬＣＤ）であってもよい。液晶画面の場合、光は、バックライト機器の光ガイドの側面から回収される。この説明では、この画面は、主表示装置であると仮定される。
【００１８】
そのような機器では、臨界角よりも小さな、表示ガラスの表面の垂線に対して一定の角度を形成するＯＬＥＤにより放出される光４だけは、透明な基板の前面から出現することができる。
【００１９】
本発明によれば、全反射により透明な基板２の平行な面の間に捕獲された光５の一部は、選択された領域内に作られた少なくとも１つの側面８を通して抽出される。次いで、この光を使用して、アナログ時間表示装置、または開口７を通して見ることができる表示部材、たとえば、日付盤６などの、２次要素と呼ばれる他の要素６を照らすことができる。
【００２０】
基板の屈折率を修正することにより、基板の前面により放出される光と、基板の縁部または側面により放出される光との間の比を修正することが可能であり、すなわち、基板の屈折率が高くなるほど、それだけ多くの光が、透明な層２内に捕獲される。この観点から、屈折率が１．７６８であるサファイアなどの、屈折率の高い基板２を使用することが、有利な場合がある。
【００２１】
透明な基板２の表面に、１つまたは複数の付加層３を追加してもよい。これらの層は、たとえば抗かき傷層、反射防止層、または装飾層の役割を果たすことができる。
【００２２】
基板２の側面８は、好ましくは、光抽出を最適化するための、内面反射を低減するテクスチャを有する。詳細には、ウォータージェット、研削、または超音波切断の技法は、基板２の側面８のつや落としに対してつや消しにする有利な効果があり、それにより、拡散を、したがって、光抽出の一様性を改善する。
【００２３】
照明すべき２次対象物６の場所に応じて、照らす側８を傾けることが有利な場合がある。詳細には、図１に示すように、機械的に駆動される日付盤（図２または図３参照）を介する、従来の日付表示装置の場合のように、主表示装置から少し引っ込んだ対象物は、好ましくは、この２次対象物の方を向く側面により照明され、これは、ユーザに対する直接視界を低減し、したがって、まぶしい光を低減する利点をさらに有する。
【００２４】
望ましくない照明を防止するために、２次対象物を照明しない側面を、有利には、不透明な、好ましくは、反射する層９で覆うことができる。
【００２５】
図２および図３に示すように、本発明の有機発光ダイオード（ＯＬＥＤ）表示機器は、有利には、針１１、および下で日付盤６が駆動される開口７を含む、従来の時間表示装置を備える複合時計に組み込まれる。そのような場合、針は、針の背後に位置する文字板を形成する主ＯＬＥＤ表示機器によりバックライトで照らされ、一方、開口部７は、本発明の有機発光ダイオード（ＯＬＥＤ）表示機器の基板２内に配置された開口７の側面８により照らされる。
【符号の説明】
【００２６】
１  ＯＬＥＤタイプの放出層
２  基板
３  付加層
４  光
５  平行な面の間に捕獲された光
６  ２次対象物、日付盤、受動表示部材
７  開口
８  側面
９  不透明なカバー
１０  領域
１１  針
Ａ  ＯＬＥＤ表示機器、能動点灯画面
Ｍ  時計
【図１】
2019020404.tif 000003
【図２】
2019020404.tif 000004
【図３】
2019020404.tif 000005